(57)【要約】      （修正有）【課題】薄暗いところでも容易に探しだすことができ、かつ軸筒内に収納された複数の筆記体のうちから所望する筆記体を選別して軸筒の先端開口部から出没可能な多芯筆記具を得ること。【解決手段】軸筒の先端部を、蓄光材を含有させて形成する。さらに軸筒内に複数の筆記体を収納した、「ノック式」や「回転式」の多芯筆記具においては、軸筒の外周面に付した筆記体の種類又は筆記体に充填されたインキの色を示す表示マークや指示マークを、蓄光材を含有させて形成する。「スライド式」の多芯筆記具においては、収納した筆記体を摺動させるためのスライド部材を、蓄光材を含有させて形成するとともに、各々のスライド部材の蓄光材の発光色をそれぞれ異ならせる。【選択図】図１
2005335148.tif 000002
【特許請求の範囲】
【請求項１】
軸筒内に、複数の筆記体を前後に摺動可能に収納し、各筆記体の円周上の反対側の位置の軸筒の外周面に筆記体の種類に対応して表示した表示マークを付し、所望する表示マークを上に向けるように軸筒を傾け、ノック体を押圧することで、筆記体の後方に配設した筆記体側の端部を自由端とし反対側をノック体に連設してなる振子式押し棒が、所望する表示マークに対応した筆記体の後端又は筆記体の後端に設けた部材に当接して筆記体を前進させ、所望する筆記体の先端部を軸筒の先端開口部から突出させる多芯筆記具において、前記表示マークと該表示マークが付されていない軸筒の先端部を蓄光材により設けたことを特徴とする多芯筆記具。
【請求項２】
胴軸と該胴軸の後方に回転可能に連設した回転軸とからなる軸筒内に、複数の筆記体を前後に摺動可能に収納し、回転軸を胴軸に対して回転して胴軸と回転軸の外周面に付した指示マークと軸筒内に収納した筆記体の種類に対応して表示した表示マークの位置を合わせることにより、軸筒内に具備したカム斜面により表示マークに対応した筆記体を前進させ、該筆記体の先端部を軸筒の先端開口部から突出させる多芯筆記具において、前記指示マークおよび表示マークと該指示マークおよび表示マークが付されていない軸筒の先端部を蓄光材により設けたことを特徴とする多芯筆記具。
【請求項３】
前記表示マークにおいて、各々の表示マークの蓄光材の発光色をそれぞれ異ならせたことを特徴とする、請求項１又は２に記載の多芯筆記具。
【請求項４】
軸筒内に複数の筆記体を前後に摺動可能に収納し、隆起部を有したスライド部材を各筆記体の後端に装着し、隆起部を軸筒後端部に形成した摺動溝より外方に突出させ、隆起部を軸筒の先端方向に前進操作することにより筆記体を前進させ、スライド部材に形成した係止部を軸筒後端部に形成した被係止部に係止して筆記体の先端部を軸筒の先端開口部から突出させてなる多芯筆記具において、前記スライド部材を発光色がそれぞれ異なるように蓄光材により各々を形成し、前記スライド部材が露出していない軸筒の先端部を蓄光材により設けたことを特徴とする多芯筆記具。
【発明の詳細な説明】
【技術分野】
【０００１】
本発明は、軸筒内に、ボールペンやシャープペンシル等の筆記体を複数本収納した多芯筆記具に関するものである。
【背景技術】
【０００２】
軸筒内に、充填されたインキの色が相違した複数のボールペンの筆記体を、あるいは１つ又は複数のボールペンの筆記体と１つ又は複数のシャープペンシルの筆記体を、あるいは鉛芯径が相違する複数のシャープペンシルの筆記体を収納した多芯筆記具については、従来から提供されており周知である。また、こうした多芯筆記具において、軸筒内に収納した筆記体の先端部を軸筒の先端開口部から突出させるための繰出構造についても知られており、次のようなものがあるが周知である。
ａ）筆記体の後方の軸筒内に、筆記体側の端部を自由端とし反対側をノック体に連設した振子式振子式押し棒を配設し、軸筒内に収納した各筆記体の円周上の反対側の位置の軸筒の外周面に、筆記体に対応した、例えばボールペンかシャープペンシルかを表す表示マーク、筆記体に充填されたインキの色を表す表示マーク、又は筆記体の芯径等を表す表示マークを付し、所望する筆記体を使用する際には、所望する筆記体の表示マークを上側になるように軸筒を傾けノック体を押圧することで、振子式押し棒が、所望する表示マークに対応した筆記体の後端又は筆記体の後端に設けた部材に当接して筆記体を前進させ、所望する筆記体の先端部を軸筒の先端開口部から突出させてなる、所謂「ノック式」と呼ばれている繰出構造。
ｂ）軸筒を、胴軸と該胴軸の後方に回転可能に連接した回転軸とで構成し、回転軸を胴軸に対して回転して、胴軸と回転軸に付した指示マークと筆記体の種類に対応して表示した表示マークの位置を合わせることにより、軸筒内に具備したカム斜面により表示マークに対応した筆記体を前進させ、該筆記体の先端部を軸筒の先端開口部から突出させる、所謂「回転式」と呼ばれている繰出構造。
ｃ）隆起部を有したスライド部材を各筆記体の後端に装着し、隆起部を軸筒後端部に形成した摺動溝より外方に突出させ、隆起部を軸筒の先端方向に前進操作することにより筆記体を前進させ、スライド部材に形成した係止部を軸筒後端部に形成した被係止部に係止して筆記体の先端部を軸筒の先端開口部から突出させてなる、所謂「スライド式」と呼ばれている繰出構造。
【０００３】
こうした「ノック式」や「回転式」の多芯筆記具においては、前記したように、所望する筆記体を容易に選択できるように、表示マークや指示マークを付してある。「スライド式」の多芯筆記具においては、各々のスライド部材を、例えば先端に装着した筆記体に充填されたインキの色と同色で形成している。
【０００４】
ところで、従来、薄暗いところで筆記具を探し易いようにと、蓄光材により軸筒等を形成した筆記具が、実開平５−３９９８３号公報や特開平８−２０７４９２号公報等により提案され知られている。
【０００５】
従来のように、軸筒等を蓄光材（合成樹脂に蛍光体を配合したもの）で形成したものでは確かに薄暗いところで筆記具を容易に探しだして使用することができるが、前記したような多芯筆記具においては、容易に探し出すことができるものの、いざ使用しようとした際には、軸筒内に収納された複数の筆記体のうちから所望する筆記体を選別する行為があり、前記したような指示マークや表示マークあるいはスライド部材の色は、軸筒における蓄光材の発光による明るさだけでは判別できず、所望する筆記体を選別できないという問題があった。
【特許文献１】特開２００２−３３７４９８号公報
【特許文献２】実開平５−３９９８３号号公報
【特許文献３】特開平８−２０７４９２号公報
【発明の開示】
【発明が解決しようとする課題】
【０００６】
本発明は、薄暗いところでも容易に探しだすことができ、かつ軸筒内に収納された複数の筆記体のうちから所望する筆記体を選別して筆記することができる多芯筆記具を得ることを目的とするものである。
【課題を解決するための手段】
【０００７】
本発明は、
「１．軸筒内に、複数の筆記体を前後に摺動可能に収納し、各筆記体の円周上の反対側の位置の軸筒の外周面に筆記体の種類に対応して表示した表示マークを付し、所望する表示マークを上に向けるように軸筒を傾け、ノック体を押圧することで、筆記体の後方に配設した筆記体側の端部を自由端とし反対側をノック体に連設してなる振子式押し棒が、所望する表示マークに対応した筆記体の後端又は筆記体の後端に設けた部材に当接して筆記体を前進させ、所望する筆記体の先端部を軸筒の先端開口部から突出させる多芯筆記具において、前記表示マークと該表示マークが付されていない軸筒の先端部を蓄光材により設けたことを特徴とする多芯筆記具。
２．胴軸と該胴軸の後方に回転可能に連設した回転軸とからなる軸筒内に、複数の筆記体を前後に摺動可能に収納し、回転軸を胴軸に対して回転して胴軸と回転軸の外周面に付した指示マークと軸筒内に収納した筆記体の種類に対応して表示した表示マークの位置を合わせることにより、軸筒内に具備したカム斜面により表示マークに対応した筆記体を前進させ、該筆記体の先端部を軸筒の先端開口部から突出させる多芯筆記具において、前記指示マークおよび表示マークと該指示マークおよび表示マークが付されていない軸筒の先端部を蓄光材により設けたことを特徴とする多芯筆記具。
３．前記表示マークにおいて、各々の表示マークの蓄光材の発光色をそれぞれ異ならせたことを特徴とする、１項又は２項に記載の多芯筆記具。
４．軸筒内に複数の筆記体を前後に摺動可能に収納し、隆起部を有したスライド部材を各筆記体の後端に装着し、隆起部を軸筒後端部に形成した摺動溝より外方に突出させ、隆起部を軸筒の先端方向に前進操作することにより筆記体を前進させ、スライド部材に形成した係止部を軸筒後端部に形成した被係止部に係止して筆記体の先端部を軸筒の先端開口部から突出させてなる多芯筆記具において、前記スライド部材を発光色がそれぞれ異なるように蓄光材により各々を形成し、前記スライド部材が露出していない軸筒の先端部を蓄光材により設けたことを特徴とする多芯筆記具。」
である。
【発明の効果】
【０００８】
本発明の多芯筆記具は以上のような構造なので、薄暗い所においても、請求項１又は２に記載した発明の多芯筆記具においては、表示マークや指示マークが発光するので筆記具自体の所在が判り、かつ表示マークや指示マークが確認できるので所望する筆記体を軸筒の先端開口部から出没することができる。また、軸筒の先端部の蓄光材の発光により、筆記時の筆記面を照らすことができる。
【０００９】
各々の表示マークの形状や表示の色を相違させることにより、複数の筆記体の中から所望する筆記体を選別することが可能となるが、薄暗い所では、表示マークの形状が似通っていたりすると識別し難い。しかし、表示マークの発光色を各々異なるようにすれば、表示マークの形状に関係なく確実に識別することができる。
【００１０】
請求項４に記載した発明の多芯筆記具においては、各々のスライド部材が発光するので筆記具自体の所在が判り、かつ、各々のスライド部材の蓄光材の発光色が異なるために、所望する筆記体を軸筒の先端開口部から出没することができる。また、前記請求項に係る発明と同様に、軸筒の先端部の蓄光材の発光により、筆記時の筆記面を照らすことができる。
【発明を実施するための最良の形態】
【００１１】
「ノック式」又は「回転式」の多芯筆記具においては、繰出構造を従来と同様にして製造し、軸筒の周面に付す指示マークや表示マークを、蓄光材により設ける。蓄光材としては、蛍光体を含有したインキ、シート、合成樹脂等がある。インキの場合は、スクリーン印刷等で指示マークや表示マークを設ける。シートの場合は、または指示マークと表示マークをシートに形成し、カッティングした指示マークおよび表示マークを軸筒に貼り付けることにより設ける。合成樹脂の場合は、指示マークと表示マークを軸筒とともに２色成形により設ける。
【００１２】
「スライド式」の多芯筆記具においては、スライド部材以外は従来と同様に製造し、スライド部材を、蛍光体を配合した樹脂からなる蓄光材で形成する。しかし、単に蓄光材で形成しても、例えば、黒色インキを収容したボールペンの筆記体の後端に装着した灰色系のスライド部材、赤色インキを収容したボールペンの筆記体の後端に装着した赤色系のスライド部材、および青色インキを収容したボールペンの筆記体の後端に装着した青色系のスライド部材、あるいはシャープペンシルの筆記体の後端に装着したを白色系のスライド部材を、灰色系、赤色系、青色系や白色系の樹脂に蛍光体を配合して形成しても、薄暗いところでそれぞれのスライド部材は発光するものの、スライド部材の色を識別することはできず、各々の筆記体の中から所望する筆記体を選別することはできない。そのために、発光色が異なる蓄光材で各々のスライド部材を製造する。蓄光材としては、蛍光体を含有した合成樹脂がある。
【００１３】
蛍光体（蓄光顔料）としては、根本特殊化学株式会社製の長残光性蛍光体のＮ夜光ルミノーバ（商品名）やＧＳＳ（商品名）などがあり、前者においては、下記に示すように発光色が相違する種類がある。
緑色発光・・・商品番号：Ｇ−３００Ｃ、Ｇ−３００Ｍ、Ｇ−３００Ｆ、Ｇ−３００ＦＦ、Ｇ−３００ＦＦＳ
青色発光・・・商品番号：ＢＧ−３００Ｍ、ＢＧ−３００Ｆ、ＢＧＬ−３００ＦＦ
紫色発光・・・商品番号：Ｖ−３００Ｃ、Ｖ−３００Ｍ
【００１４】
蓄光材としてのシートについては、市販されているものがある。例えば、根本特殊化学株式会社製の前記Ｎ夜光ルミノーバを配合してなるルミノーバシート（商品名）やＧＳＳを配合してなるルミシート（商品名）がある。
【実施例】
【００１５】
本発明の実施例を図面を用いて説明する。同じ部材、同じ箇所を示すものには同じ符号を付してある。
図１及び図２に示す請求項１に係る発明の実施例の多芯筆記具１は、「ノック式」と呼ばれている構造のもので、その筆記体の先端部を繰出す繰出構造については従来のものと何ら変わるものではない。
【００１６】
図１はその多芯筆記具１の側面図であり、図２はその多芯筆記具１の内部構造を示す要部の拡大端面図である。
【００１７】
軸筒２は、先軸３と胴軸４と鞘軸５とからなり、先軸３は胴軸４の先端に螺着してある。鞘軸５は胴軸４の後方に、胴軸４と鞘軸５間にコイルスプリング６を介して胴軸４に対して前後動可能に配設してある。軸筒２は合成樹脂で形成してあり、先軸３は根本特殊化学株式会社製の長残光性蛍光体のＮ夜光ルミノーバ（商品名）の緑色発光する商品番号：Ｇ−３００Ｃの蓄光顔料を含有して形成してある。軸筒２内には、黒色の油性インキ（図示せず）を充填したボールペンの筆記体７ａと、赤色の油性インキ（図示せず）を充填したボールペンの筆記体７ｂと、シャープペンシルの筆記体（図示せず）の３つの筆記体が収納してある。図２においては、便宜上、ボールペンの筆記体７ａ、７ｂのみを描いてある。
【００１８】
筆記体７ａ、７ｂの後端には各々に部材８ａ、８ｂが挿着してあり、筆記体７ａ、７ｂはコイルスプリング９により後方に付勢されて収容されている。鞘軸５の後端には、頭冠固定部材１０を介して頭冠１１とクリップ１２が装着してある。頭冠１１は頭冠固定部材１０から着脱自在に取付けてある。また、頭冠固定部材１０には内筒体１３が連設してあり、内筒体１３の先端部には、凹部１３ａを設けてあり、先端部１４ａを自由端とした振子式押し棒１４の頭部１４ｂを挿入して配設してある。該振子式押し棒１４は、内筒体１３に固定した固定部材１５により頭部１４ｂを保持されており、頭部１４ｂが凹部１３内で移動可能にしてある。内筒体１３は鞘軸５に連動して前後動可能であり鞘軸５とともにノック体を構成している。内筒体１３及び頭冠１１には、消しゴム（図示せず）が挿入可能な空間部１６を設けてある。
【００１９】
本構造の多芯筆記具１は、軸筒２を傾けると振子式押し棒１４は常に垂直に起立しているので、振子式押し棒１４の先端部１４ａは軸筒２を傾けた際の下側に位置した筆記体に挿着した部材８に対向する。その状態で鞘軸５を押圧すると、鞘軸５に連動して内筒体１３も前進して振子式押し棒１４も押し下げられ、前記筆記体は前進して先端部（図示せず）が軸筒２の先端開口部２より突出する。
【００２０】
鞘軸５の後端部の外周面には、従来と同様に各々の筆記体に対応した表示マーク１７を、筆記体が位置した反対側の外周面に設けた。筆記体に充填したインキが黒インキの場合は「Ｂ」の表示マーク１７ａを、筆記体に充填したインキが赤インキの場合は「Ｒ」の表示マーク１７ｂを、蓄光材で設けた。図示していないが、筆記体がシャープペンシルの場合も、同様に表示マークを蓄光材で設けた。第２図において、「Ｂ」と「Ｒ」の表示マーク１７ａ、１７ｂは隣接して描いてあるが、説明上であって実際は円周上で１２０度ずれた位置に設けてある。
【００２１】
前記表示マーク１７ａの「Ｂ」は、株式会社セイコーアドバンスのＶＩＣシリーズインキ（無色インキ）に、根本特殊化学株式会社製の長残光性蛍光体のＮ夜光ルミノーバ（商品名）の緑色発光する商品番号：Ｇ−３００Ｃの蓄光顔料を含有して得られたインキを用いて、スクリーン印刷により表示した。前記表示マーク１７ｂの「Ｒ」は、同様に、株式会社セイコーアドバンスのＶＩＣシリーズインキに、根本特殊化学株式会社製の紫色発光する商品番号：Ｖ−３００Ｃの蓄光顔料を含有して得られたインキを用いて、スクリーン印刷により表示した。シャープペンシルの筆記体に対応した表示マークも同様に、株式会社セイコーアドバンスのＶＩＣシリーズインキに、根本特殊化学株式会社製の青色発光する商品番号：ＢＧ−３００Ｍの蓄光顔料を含有して得られたインキを用いて、スクリーン印刷により表示して、請求項１に記載の発明の多芯筆記具１製造した。
【００２２】
図３及び図４に示す請求項２に係る発明の実施例の多芯筆記具５０は、「回転式」と呼ばれている構造のもので、その筆記体の先端部を繰出す繰出構造については従来のものと何ら変わるものではない。図３はその多芯筆記具５０の側面図であり、図４はその多芯筆記具５０の繰出構造の概略を示す要部拡大端面図である。
【００２３】
軸筒５１は、先端に先窄み状の先軸５２を螺着した胴軸５３と回転軸である鞘軸５４とで構成されている。鞘軸５４は胴軸５３に対して回転可能に連設してある。軸筒５１は合成樹脂で形成してあり、先軸５２は根本特殊化学株式会社製の長残光性蛍光体のＮ夜光ルミノーバ（商品名）の緑色発光する商品番号：Ｇ−３００Ｃの蓄光顔料を含有して形成してある。軸筒５１内には、前記実施例と同様に、黒色の油性インキ（図示せず）を充填したボールペンの筆記体７ａと、赤色の油性インキ（図示せず）を充填したボールペンの筆記体７ｂと、シャープペンシルの筆記体（図示せず）の３本の筆記体が収納してある。図４においては、便宜上、ボールペンの筆記体７ａ、７ｂのみを描いてある。
【００２４】
胴軸５３の後方の端部５５は、鞘軸５４に被覆されており、３つの摺動溝５６を有している。各々の摺動溝５６には、後端にスライダー部材５７ａ、５７ｂを挿着した筆記体７ａ、７ｂがコイルスプリング５８により後方に付勢されて収納してある。前記スライダー部材５７ａ、５７ｂの側面には、後方に向かって尖った頂部５９を有した突起６０を設けてあり、該突起６０は軸筒５１の外方に向かって突出させてある。鞘軸５４の内側面には、軸心に沿った方向に変位するように形成したカム斜面６１を設けてあり、鞘軸５４を胴軸５３に対して回転することにより、各筆記体のスライダー部材５７の前記突起６０の頂部５９を構成する斜面５９ａに当接可能に設けてある。
【００２５】
鞘軸５４の後端には、頭冠固定部材６２を介して頭冠６３とクリップ６４が装着してある。頭冠６３は頭冠固定部材６２から着脱自在に取付けてある。頭冠固定部材６２び頭冠６３には、空間部６５を設けて消しゴム６６を挿入してある。
【００２６】
本構造の多芯筆記具５０は、鞘軸５４を胴軸５３に対し回転することにより、各筆記体７ａ、７ｂのスライダー部材５７ａ、５７ｂの突起６０がカム斜面６１に沿って押圧されるので、各筆記体は前後動し、先端部を軸筒５１の先端開口部５１ａより突出させる。図３において、黒インキを充填した筆記体７ａの先端部６７が突出した状態を示してある。
【００２７】
胴軸５３と鞘軸５４の連接部分の近傍の両軸の外周面には、従来と同様に胴軸５３側には△印状の指示マーク６８を、鞘軸５４側には鞘軸５４を回転して１つの筆記体の筆記先端部が軸筒５２の先端開口部５２ａより突出した際に、前記指示マーク６７が軸心に沿った方向に一直線上となる位置に、筆記体に充填したインキが黒インキの場合は「Ｂ」の表示マーク６９ａを、筆記体に充填にしたインキが赤インキの場合は「Ｒ」の表示マーク６９ｂを、蓄光材で設けた。図示していないが、筆記体がシャープペンシルの場合も、同様に表示マークを蓄光材で設けた。第３図において、「Ｂ」と「Ｒ」の表示マーク６９ａ、６９ｂは隣接して描いてあるが、説明上であって実際は円周上で１２０度ずれた位置に設けてある。
【００２８】
前記実施例の場合と同様に、前記表示マーク６９ａの「Ｂ」と指示マーク６８の「△」は、株式会社セイコーアドバンスのＶＩＣシリーズインキ（無色インキ）に、根本特殊化学株式会社製の長残光性蛍光体のＮ夜光ルミノーバ（商品名）の緑色発光する商品番号：Ｇ−３００Ｃの蓄光顔料を含有して得られたインキを用いて、スクリーン印刷により表示した。前記表示マーク６８ｂの「Ｒ」は、同様に、株式会社セイコーアドバンスのＶＩＣシリーズインキに、根本特殊化学株式会社製の紫色発光する商品番号：Ｖ−３００Ｃの蓄光顔料を含有して得られたインキを用いて、スクリーン印刷により表示した。シャープペンシルの筆記体に対応した表示マークも同様に、株式会社セイコーアドバンスのＶＩＣシリーズインキに、根本特殊化学株式会社製の青色発光する商品番号：ＢＧ−３００Ｍの蓄光顔料を含有して得られたインキを用いて、スクリーン印刷により表示して、請求項２に記載の発明の多芯筆記具５０を製造した。
【００２９】
図５及び図６に示す請求項４に係る発明の実施例の多芯筆記具１００は、「スライド式」と呼ばれている構造のもので、その筆記体の先端部を繰出す繰出構造については従来のものと何ら変わるものではない。図５はその多芯筆記具１００の側面図であり、図６はその多芯筆記具１００の内部構造を示す要部の拡大端面図である。
【００３０】
軸筒１０１は、前軸１０２と後軸１０３と摺動軸１０４とで構成されている。軸筒１０１は合成樹脂で形成してあり、前軸１０２は根本特殊化学株式会社製の長残光性蛍光体のＮ夜光ルミノーバ（商品名）の緑色発光する商品番号：Ｇ−３００Ｃの蓄光顔料を含有して形成してある。軸筒１０１内には、前記実施例と同様に、黒色の油性インキ（図示せず）を充填したボールペンの筆記体７ａと、赤色の油性インキ（図示せず）を充填したボールペンの筆記体７ｂと、シャープペンシルの筆記体（図示せず）の３本の筆記体が収納してある。図６においては、便宜上、ボールペンの筆記体７ａ、７ｂのみを描いてある。前軸１０２と後軸１０３は螺着しており、前軸１０２の把持部にはグリップ１０５が２色成形により配設してある。摺動軸１０４は後軸１０３の後端に、摺動可能に配設してあり、周面には３つの摺動溝１０６を形成してある。摺動軸１０４は、軸筒内に収納したシャープペンシルの筆記体の鉛芯を繰り出すためのものである。
【００３１】
各々の摺動溝１０６には、各々の筆記体を挿入してコイルスプリング１０７により後方に付勢して収納してある。本実施例では各々の筆記体７ａ、７ｂの後端開口部に係合部材１０８が挿着してあるが、無くても良い。該係合部材１０８を介して各々の筆記体の後端には操作体となるスライド部材１０９が小径の先端部１１０を係合部材１０８に挿着し、スライド部材１０９ａ、１０９ｂ、１０９ｃに形成した隆起部１１１ａ、１１１ｂ、１１１ｃが前記摺動溝１０５よりノック体１０６の外方に突出するように配設してある。
【００３２】
筆記体７ａを使用する際には、隆起部１１１ａを軸筒１０１の先端開口部１０１ａ方向に前進させることにより、スライド部材１０９ａの係止部１１２がノック体１０６に形成した係止部１１２に対応した被係止部（図示せず）に係止し、筆記体７ａの先端部（図示せず）を軸筒１０１の先端開口部１０１ａから突出させる。この状態から筆記体７ｂを使用する場合には、スライド部材１０９ｂの隆起部１１１ｂを前進させる。スライド部材１０９ｂの解除突起１１３が、被係止部に係止しているスライド部材１０９ａの突起１１４に当接し、係止部１１２を被係止部から押し出して、スライド部材１０９ａの係止を解除する。筆記体７ａは、コイルスプリング１０７の弾発力によって元の状態に戻る。さらに隆起部１１１ｂを前進させることで、スライド部材１０９ｂの係止部１１２が、対応した被係止部（図示せず））に係止して、筆記体７ｂの先端部（図示せず）を突出する。シャープペンシルの筆記体７ｃを使用する場合は、同様にスライド部材１０９ｃの隆起部１１１ｃを前進させて、筆記体の先端部を軸筒１０１の先端開口部１０１ａから突出させ、ノック体を押圧することにより、鉛芯を繰出すことができる。
【００３３】
黒色の油性インキ（図示せず）を充填したボールペンの筆記体７ａと、赤色の油性インキ（図示せず）を充填したボールペンの筆記体７ｂと、シャープペンシルの筆記体（図示せず）に連接した各々のスライド部材１０９ａ、１０９ｂ、１０９ｃは、蓄光顔料を含有した合成樹脂で成形した。黒色の油性インキ（図示せず）を充填した筆記体７ａに対応したスライド部材１０９ａは、蓄光顔料として根本特殊化学株式会社製の長残光性蛍光体のＮ夜光ルミノーバ（商品名）の緑色発光する商品番号：Ｇ−３００Ｃを約９質量％含有したポリカーボネートで成形した。赤色の油性インキ（図示せず）を充填した筆記体７ｂに対応したスライド部材１０９ｂは、同様に蓄光顔料として根本特殊化学株式会社製の紫色発光する商品番号：Ｖ−３００Ｃを約９質量％含有したポリカーボネートで成形した。シャープペンシルの筆記体（図示せず）に対応したスライド部材１０９ｃは、同様に蓄光顔料として根本特殊化学株式会社製の青色発光する商品番号：ＢＧ−３００Ｃを約９質量％含有したポリカーボネートで成形した。
【産業上の利用可能性】
【００３４】
軸筒内に複数の筆記体を収納した多芯筆記具において、軸筒の外周面に付された、所望する筆記体の筆記先端部を複数の筆記体の中から選別して軸筒の先端開口部から突出させるための指示マークや表示マーク又はスライド部材を蓄光材を用いて形成したので、筆記具自体を薄暗いところでも容易に探しだせ、かつ軸筒内に収納された複数の筆記体のうちから所望する筆記体を選別して軸筒の先端開口部から突出させて使用できるので、薄暗いところや夜間明かりのない所で筆記する必要がある人達への用途がある。
【図面の簡単な説明】
【００３５】
【図１】請求項１に係る発明の実施例を示す多芯筆記具の側面図である。
【図２】前記実施例の繰出構造の概略を示す、要部拡大端面図である。
【図３】請求項２に係る発明の実施例を示す多芯筆記具の側面図である。
【図４】前記実施例の繰出構造の概略を示す、要部拡大端面図である。
【図５】請求項４に係る発明の実施例を示す多芯筆記具の側面図である。
【図６】前記実施例の繰出構造の概略を示す、要部拡大端面図である。
【符号の説明】
【００３６】
１、５０、１００    多芯筆記具
２、５１、１０１    軸筒
２ａ、５１ａ、１０１ａ    先端開口部
４、５３、１０２    胴軸
５、５４、１０３    鞘軸
７ａ、７ｂ、７ｃ    筆記体
８    部材
１３    内筒体
１４    振子式押し棒
１７    表示マーク
５０    多芯筆記具
５１    軸筒
５３    胴軸
５４    鞘軸
６１    カム斜面
６８    指示マーク
６９    表示マーク
１０６  摺動溝
１０９ａ、１０９ｂ、１０９ｃ  スライド部材
１１１ａ、１１１ｂ、１１１ｃ  隆起部
１１２    係止部
【図１】
2005335148.tif 000003
【図２】
2005335148.tif 000004
【図３】
2005335148.tif 000005
【図４】
2005335148.tif 000006
【図５】
2005335148.tif 000007
【図６】
2005335148.tif 000008